(57)【要約】【課題】把持部がユーザに把持された状態で振動源が振動した際に、把持部を十分振動させて振動源の振動をユーザに有効に伝えることが可能な携帯端末を提供する。【解決手段】このタッチパッドリモコン１００（携帯端末）は、ユーザの操作を受け付けるタッチパッド２と、ユーザによるタッチパッド２の操作またはＳＴＢ４００からの信号に応じて、所定の周波数で振動する振動モータ３ａおよび３ｂと、ユーザにより把持可能に形成されたカバー部材７ａおよび７ｂを含む筐体１とを備え、カバー部材７ａおよび７ｂは、振動モータ３ａおよび３ｂの周波数の略整数倍の固有振動数を有するように形状、厚みおよび大きさのうちの少なくとも１つが調整されるように構成されている。【選択図】図６
2014203169.tif 000002
【特許請求の範囲】
【請求項１】
ユーザの操作を受け付ける操作受付部と、
ユーザによる前記操作受付部の操作または外部機器からの信号に応じて、所定の周波数で振動する振動源と、
ユーザにより把持可能に形成された把持部を含む筐体とを備え、
前記把持部は、前記振動源の周波数の略整数倍の固有振動数を有するように形状、厚みおよび大きさのうちの少なくとも１つが調整された振動部分を含む、携帯端末。
【請求項２】
前記把持部は、ユーザに把持された状態でユーザの手と接触される前記振動部分と、前記振動部分以外の非振動部分とを含み、
前記振動部分は、前記振動源の周波数の略整数倍の固有振動数を有するように構成され、
前記非振動部分は、前記振動源の周波数の略整数倍の固有振動数を有しないように構成されている、請求項１に記載の携帯端末。
【請求項３】
前記振動部分は、ユーザに把持された状態でユーザの手と接触され、前記振動源の周波数の略整数倍の固有振動数を有し、
前記筺体は、前記操作受付部を前面に含むとともに、前記振動部分を後面に含むように構成されている、請求項１または２に記載の携帯端末。
【請求項４】
前記筺体は、前記筺体と一体的に形成され、内部に電池を収納可能な電池収納部を含み、
前記振動部分は、前記電池収納部を覆うカバー部材を含む、請求項１〜３のいずれか１項に記載の携帯端末。
【請求項５】
前記カバー部材は、振動した際に前記電池収納部に収納された電池と接触しないように所定の間隔を隔てた状態で、前記電池収納部を覆うように配置されている、請求項４に記載の携帯端末。
【請求項６】
前記振動源は、前記電池収納部を覆うカバー部材の近傍に配置されている、請求項４または５に記載の携帯端末。
【請求項７】
前記カバー部材は、前記把持部がユーザの右手または左手のうち少なくとも一方により把持された状態で左右方向と略直交する方向に延びる平板形状を有し、
前記カバー部材の長手方向の中央近傍は、前記長手方向の端部近傍よりも小さい板厚を有するように構成されている、請求項４〜６のいずれか１項に記載の携帯端末。
【請求項８】
前記電池収納部は、第１電池収納部と第２電池収納部とを含み、
前記カバー部材は、前記振動部分を有する第１カバー部材と第２カバー部材とを含み、
前記第１電池収納部は、前記第１カバー部材により覆われるように構成され、
前記第２電池収納部は、前記第２カバー部材により覆われるように構成され、
前記第１電池収納部と前記第２電池収納部とは、それぞれ、前記筺体の左側と右側とに設けられている、請求項７に記載の携帯端末。
【請求項９】
前記振動源は、第１振動源と第２振動源とを含み、
前記振動部分は、ユーザに把持された状態でユーザの手と接触される第１振動部分と第２振動部分とを含み、
前記第１振動源は、ユーザによる前記操作受付部の操作または前記外部機器からの信号に応じて、第１の周波数で振動するように構成され、
前記第２振動源は、ユーザによる前記操作受付部の操作または前記外部機器からの信号に応じて、第２の周波数で振動するように構成され、
前記第１振動部分は、前記第１振動源の第１の周波数の略整数倍の固有振動数を有し、
前記第２振動部分は、前記第２振動源の第２の周波数の略整数倍の固有振動数を有するように構成されている、請求項１〜８のいずれか１項に記載の携帯端末。
【発明の詳細な説明】
【技術分野】
【０００１】
この発明は、携帯端末に関し、特に、振動源を備える携帯端末に関する。
【背景技術】
【０００２】
従来、振動源を備える携帯端末が知られている（たとえば、特許文献１参照）。
【０００３】
上記特許文献１には、ユーザの操作を受け付ける操作部（操作受付部）と、ユーザによる操作部の操作または外部機器からの信号に応じて、所定の周波数で振動するモータ（振動源）と、ユーザにより把持可能に形成された操作支持部を含むケース（筺体）とを備えたゲーム機用操作装置（携帯端末）が開示されている。
【先行技術文献】
【特許文献】
【０００４】
【特許文献１】特開２００２−１９１８６６号公報
【発明の概要】
【発明が解決しようとする課題】
【０００５】
しかしながら、上記特許文献１のゲーム機用操作装置（携帯端末）では、操作支持部がユーザに把持された状態でモータが振動した際に、操作支持部の寸法や形状によっては操作支持部が振動（変位）しにくい場合があり、その場合には、モータの振動がユーザに伝わりにくい場合があると考えられる。
【０００６】
この発明は、上記のような課題を解決するためになされたものであり、この発明の１つの目的は、把持部がユーザに把持された状態で振動源が振動した際に、振動源の振動をユーザに有効に伝えることが可能な携帯端末を提供することである。
【課題を解決するための手段】
【０００７】
この発明の一の局面による携帯端末は、ユーザの操作を受け付ける操作受付部と、ユーザによる操作受付部の操作または外部機器からの信号に応じて、所定の周波数で振動する振動源と、ユーザにより把持可能に形成された把持部を含む筐体とを備え、把持部は、振動源の周波数の略整数倍の固有振動数を有するように形状、厚みおよび大きさのうちの少なくとも１つが調整された振動部分を含む。
【０００８】
この発明の一の局面による携帯端末では、上記のように、振動源の周波数の略整数倍の固有振動数を有するように形状、厚みおよび大きさのうちの少なくとも１つが調整された振動部分を含む把持部を設けることによって、振動源が振動した際に、振動源の振動により把持部の振動部分を共振させることができるので、把持部の振動部分の変位（振幅）量を大きくすることができる。これにより、把持部がユーザに把持された状態で振動源が振動した際に、振動源の振動をユーザに有効に伝えることができる。
【０００９】
上記一の局面による携帯端末において、好ましくは、把持部は、ユーザに把持された状態でユーザの手と接触される振動部分と、振動部分以外の非振動部分とを含み、振動部分は、振動源の周波数の略整数倍の固有振動数を有するように構成され、非振動部分は、振動源の周波数の略整数倍の固有振動数を有しないように構成されている。このように構成すれば、振動源により発生された振動（振動エネルギ）が非振動部分で消費されてしまうのを抑制することができるので、振動源の（振動エネルギ）により振動部分を集中的に大きく振動させて、振動源の振動をユーザに効率よく伝えることができる。また、非振動部分が振動しにくいので、振動時にも、非振動部分に設けられた操作受付部の操作を支障なく行うことができる。
【００１０】
上記一の局面による携帯端末において、好ましくは、振動部分は、ユーザに把持された状態でユーザの手と接触され、振動源の周波数の略整数倍の固有振動数を有し、筺体は、操作受付部を前面に含むとともに、振動部分を後面に含むように構成されている。このように構成すれば、筺体の後面の振動部分を把持した状態で、筺体の前面の操作受付部を操作することができるので、振動時にも操作受付部の操作を支障なく行いながら振動源の振動をユーザに有効に伝えることができる。
【００１１】
上記一の局面による携帯端末において、好ましくは、筺体は、筺体と一体的に形成され、内部に電池を収納可能な電池収納部を含み、振動部分は、電池収納部を覆うカバー部材を含む。このように構成すれば、電池収納部を覆うカバー部材を振動部分としても流用することができるので、専用の振動部分を別途設ける必要がなく、振動部分を設けた場合にも、部品点数が増加するのを抑制することができる。
【００１２】
この場合、好ましくは、カバー部材は、振動した際に電池収納部に収納された電池と接触しないように所定の間隔を隔てた状態で、電池収納部を覆うように配置されている。このように構成すれば、カバー部材が電池と接触することに起因して、カバー部材（振動部分）の振動（共振）が妨げられてしまうのを抑制することができる。
【００１３】
上記電池収納部を含む構成において、好ましくは、振動源は、電池収納部を覆うカバー部材の近傍に配置されている。このように構成すれば、振動源により発生された振動（振動エネルギ）が、振動源とカバー部材（振動部分）との間の領域で消費されてしまうのを容易に抑制することができるので、容易に、カバー部材（振動部分）の振動（共振）が妨げられてしまうのを抑制することができる。
【００１４】
上記電池収納部を含む構成において、好ましくは、カバー部材は、把持部がユーザの右手または左手のうち少なくとも一方により把持された状態で左右方向と略直交する方向に延びる平板形状を有し、カバー部材の長手方向の中央近傍は、長手方向の端部近傍よりも小さい板厚を有するように構成されている。このように構成すれば、カバー部材（振動部分）の長手方向の中央近傍を変形しやすくすることができるので、振動源の振動をユーザにより効率よく伝えることができる。
【００１５】
上記カバー部材が平板形状を有する構成において、好ましくは、電池収納部は、第１電池収納部と第２電池収納部とを含み、カバー部材は、振動部分を有する第１カバー部材と第２カバー部材とを含み、第１電池収納部は、第１カバー部材により覆われるように構成され、第２電池収納部は、第２カバー部材により覆われるように構成され、第１電池収納部と第２電池収納部とは、それぞれ、筺体の左側と右側とに設けられている。このように構成すれば、左側と右側の両側から第１電池収納部を覆う第１カバー部材と第２電池収納部を覆う第２カバー部材とを把持することができるので、ユーザが利き手（一方の手）で操作受付部を操作しながら利き手とは反対の手（他方の手）でカバー部材（把持部）を把持する状態でも、振動源の振動をユーザに有効に伝えることができる。
【００１６】
上記一の局面による携帯端末において、好ましくは、振動源は、第１振動源と第２振動源とを含み、振動部分は、ユーザに把持された状態でユーザの手と接触される第１振動部分と第２振動部分とを含み、第１振動源は、ユーザによる操作受付部の操作または外部機器からの信号に応じて、第１の周波数で振動するように構成され、第２振動源は、ユーザによる操作受付部の操作または外部機器からの信号に応じて、第２の周波数で振動するように構成され、第１振動部分は、第１振動源の第１の周波数の略整数倍の固有振動数を有し、第２振動部分は、第２振動源の第２の周波数の略整数倍の固有振動数を有するように構成されている。このように構成すれば、第２振動源を第１振動源の周波数の略整数倍とは異なる第２の周波数で振動させる場合には、第１振動部分と第２振動部分とをそれぞれ別個に振動（共振）させることができるので、２つの異なる振動をユーザに伝えることができる。また、第２振動源を第１振動源の周波数の略整数倍である第２の周波数で振動させる場合には、第１振動源および第２振動源の両方の振動源で、第１振動部分と第２振動部分とを共に振動させることがきるので、振動を確実にユーザに伝えることができる。
【発明の効果】
【００１７】
本発明によれば、上記のように、把持部がユーザに把持された状態で振動源が振動した際に、把持部を十分振動させて振動源の振動をユーザに有効に伝えることができる。
【図面の簡単な説明】
【００１８】
【図１】本発明の第１実施形態によるタッチパッドリモコンの使用状態を示した模式図である。
【図２】本発明の第１実施形態によるタッチパッドリモコンの全体の構成を示した斜視図である。
【図３】本発明の第１実施形態によるタッチパッドリモコンの構成を示したブロック図である。
【図４】本発明の第１実施形態によるタッチパッドリモコンを把持した状態の前面を示した斜視図である。
【図５】本発明の第１実施形態によるタッチパッドリモコンを把持した状態の後面を示した図である。
【図６】本発明の第１実施形態によるタッチパッドリモコンの後面を示した図である。
【図７】本発明の第１実施形態によるタッチパッドリモコンの側面を示した図である。
【図８】図６の６００−６００線に沿った断面図である。
【図９】図６の６１０−６１０線に沿った断面図である。
【図１０】本発明の第１実施形態によるタッチパッドリモコンのカバー部材の板厚を示した図である。
【図１１】本発明の第１実施形態によるタッチパッドリモコンのカバー部材を示した図である。
【図１２】本発明の第１実施形態によるタッチパッドリモコンのカバー部材のシミュレーション結果を示した図である。
【図１３】本発明の第１実施形態によるタッチパッドリモコンの非振動部分のシミュレーション結果を示した図である。
【図１４】本発明の第２実施形態によるタッチパッドリモコンの後面を示した図である。
【図１５】本発明の第１実施形態の第１変形例によるスマートフォンの前面を示した図である。
【図１６】本発明の第１実施形態の第１変形例によるスマートフォンの後面を示した図である。
【図１７】本発明の第１実施形態の第２変形例によるタッチパッドリモコンの後面を示した図である。
【発明を実施するための形態】
【００１９】
以下、本発明を具体化した実施形態を図面に基づいて説明する。
【００２０】
（第１実施形態）
まず、図１〜図１３を参照して、本発明の第１実施形態によるタッチパッドリモコン１００の構成について説明する。なお、タッチパッドリモコン１００は、本発明の「携帯端末」の一例である。
【００２１】
図１に示すように、本発明の第１実施形態によるタッチパッドリモコン１００は、ＨＤＭＩ（登録商標）ケーブル２００により、ＴＶ（テレビジョン装置）３００に接続されたＳＴＢ（セットトップボックス）４００を操作するように構成されている。また、タッチパッドリモコン１００は、無線によりＳＴＢ４００と通信可能なように構成されている。また、ＳＴＢ４００は、ＯＳ（Ｏｐｅｒａｔｉｎｇ  Ｓｙｓｔｅｍ）として、たとえば、Ａｎｄｒｏｉｄ（登録商標）を搭載している。また、ＳＴＢ４００は、Ａｎｄｒｏｉｄ（登録商標）に対応したアプリケーションを起動させることにより、インターネット５００から取得（ダウンロード）されたテレビ番組やゲームなどを使用可能に構成されている。また、ＳＴＢ４００は、取得されたテレビ番組やゲームなどをＴＶ３００に表示させるように構成されている。また、タッチパッドリモコン１００は、取得されたテレビ番組の視聴などに関する操作やゲームの操作などをＳＴＢ４００に対して行うように構成されている。なお、ＳＴＢ４００は、本発明の「外部機器」の一例である。
【００２２】
ここで、第１実施形態では、図３に示すように、タッチパッドリモコン１００は、筐体１と、タッチパッド２と、振動モータ３ａおよび３ｂと、電池４ａおよび４ｂとを備えている。また、タッチパッドリモコン１００は、通信部５と、ＣＰＵ６と、カバー部材７ａおよび７ｂ（図５参照）とを備えている。
【００２３】
筐体１は、図２および図４に示すように、前面１１側からタッチパッド２を露出させる開口部１１ａを含んでいる。また、筐体１は、後面１２（Ｚ２方向）側に向けて突出する２つの電池収納部１３ａおよび１３ｂを含んでいる。また、電池収納部１３ａおよび１３ｂは、それぞれ、筐体１の右側（Ｘ１方向側）と左側（Ｘ２方向側）とに配置されている。また、電池収納部１３ａおよび１３ｂは、図９に示すように、筐体１と一体的に形成され、内部に電池４ａおよび４ｂを収納可能なように構成されている。また、電池収納部１３ａおよび１３ｂは、共に、凸形状の断面を有している。また、電池収納部１３ａ（１３ｂ）は、後面１２側にカバー部材７ａ（７ｂ）を嵌め込むための凹部１４ａ（１４ｂ）を有している。また、ユーザは、図４および図５に示すように、右手１５０ａおよび左手１５０ｂを、それぞれ、電池収納部１３ａおよび１３ｂに添えることにより、タッチパッドリモコン１００を把持することが可能である。また、電池収納部１３ａおよび１３ｂは、タッチパッドリモコン１００がユーザの右手１５０ａおよび左手１５０ｂに把持された状態で、左右方向に直交する方向（Ｙ方向）に沿って延びるように形成されている。また、後面１２の電池収納部１３ａおよび１３ｂの間の領域１３ｃは、平坦面状に形成されている。また、筐体１は、樹脂（たとえば、ＡＢＳ（アクリロニトリルブタジエンスチレン共重合合成）樹脂）により形成されている。なお、電池収納部１３ａは、本発明の「第１電池収納部」および「把持部」の一例である。また、電池収納部１３ｂは、本発明の「第２電池収納部」および「把持部」の一例である。
【００２４】
タッチパッド２は、図２および図４に示すように、筐体１の前面１１に含まれている。また、タッチパッド２は、ユーザの操作を受け付けるように構成されている。タッチパッド２は、ユーザの人差し指、中指、薬指および小指（右手１５０ａおよび左手１５０ｂ）がタッチパッド２に接触された際に、静電容量の変化を感知することにより所定の入力操作を検出するように構成されている。また、タッチパッド２が受け付けた操作に対応する表示は、ＴＶ３００（図１参照）に映し出されるように構成されている。たとえば、タッチパッド２がなぞられた場合には、なぞられた軌跡に対応するカーソルが、ＴＶ３００に映し出される。なお、タッチパッド２は、本発明の「操作受付部」の一例である。
【００２５】
振動モータ３ａは、図５および図６に示すように、筐体１の右側（Ｘ１方向側）に１つ設けられている。振動モータ３ｂは、筐体１の左側（Ｘ２方向側）に１つ設けられている。また、振動モータ３ａおよび３ｂは、平面視において、筐体１のＹ方向の略中央に配置されている。また、図９に示すように、振動モータ３ａおよび３ｂは、それぞれ、凸形状の電池収納部１３ａおよび１３ｂの内部に配置されている。また、振動モータ３ａおよび３ｂは、図７および図９に示すように、筐体１の前後方向（Ｚ方向）の略中央に配置されている。また、振動モータ３ａおよび３ｂは、ユーザによるタッチパッド２の操作またはＳＴＢ４００からの信号に応じて、所定の周波数で振動するように構成されている。振動モータ３ａ（３ｂ）は、ユーザによるタッチパッド２の操作またはＳＴＢ４００からの信号に応じて、たとえば、１６７Ｈｚ（１００００回転／分）で振動するように構成されている。すなわち、振動モータ３ａおよび３ｂは、共に、同じ周波数で振動するように構成されている。なお、１６７Ｈｚ（１００００回転／分）は、本発明の「第１の周波数」の一例である。また、１６７Ｈｚ（１００００回転／分）は、本発明の「第２の周波数」の一例である。また、振動モータ３ａは、本発明の「第１振動源」および「振動源」の一例である。また、振動モータ３ｂは、本発明の「第２振動源」および「振動源」の一例である。
【００２６】
電池４ａおよび４ｂは、図６に示すように、電池収納部１３ａおよび１３ｂが延びる方向（Ｙ方向側）に沿って配置されている。また、電池４ａおよび４ｂとしては、たとえば、ニッケル電池やリチウムイオン電池などを用いることができる。また、電池４ａおよび４ｂは、共に、同じサイズ（たとえば、単４形（ＡＡＡ））の電池である。
【００２７】
通信部５（図３参照）は、タッチパッド２が受け付けた操作に関する信号をＳＴＢ４００に送信（伝達）するように構成されている。また、通信部５は、ＳＴＢ４００から送信された信号を受信するように構成されている。また、通信部は、Ｂｌｕｅｔｏｏｔｈ（登録商標）などにより、信号を送受信するように構成されている。
【００２８】
ＣＰＵ６（図３参照）は、タッチパッドリモコン１００の全体の制御を行うように構成されている。また、ＣＰＵ６は、ユーザによるタッチパッド２の操作またはＳＴＢ４００からの信号に応じて、振動モータ３ａおよび３ｂを振動させる制御を行うように構成されている。
【００２９】
また、第１実施形態では、カバー部材７ａおよび７ｂは、図５および図６に示すように、筐体１の後面１２（Ｚ２方向）側に設けられている。すなわち、カバー部材７ａおよび７ｂは、筐体１のタッチパッド２が含まれる側とは反対側（Ｚ２方向側）である後面１２に設けられている。また、カバー部材７ａおよび７ｂは、それぞれ、筐体１（電池収納部１３ａおよび１３ｂ）に含まれている。また、カバー部材７ａおよび７ｂは、図５に示すように、ユーザがタッチパッドリモコン１００（電池収納部１３ａおよび１３ｂ）を把持した状態で、ユーザの人差し指、中指、薬指および小指（右手１５０ａおよび左手１５０ｂ）に対応する（接触する）位置に配置されている。また、図８および図９に示すように、カバー部材７ａ（７ｂ）は、端部近傍７２ａおよび７３ａ（７２ｂおよび７３ｂ）が電池収納部１３ａ（１３ｂ）の凹部１４ａ（１４ｂ）に嵌め込まれることより、筐体１に取り付けられるように構成されている。また、図９に示すように、カバー部材７ａおよび７ｂのそれぞれの近傍には、振動モータ３ａおよび３ｂが配置されている。また、カバー部材７ａおよび７ｂは、共に、振動モータ３ａおよび３ｂの振動に起因して、振動するように構成されている。また、筐体１は、カバー部材７ａおよび７ｂ以外の非振動部分７ｃ（図１３参照）を含んでいる。なお、カバー部材７ａは、本発明の「第１カバー部材」、「第１振動部分」および「振動部分」の一例である。また、カバー部材７ｂは、本発明の「第２カバー部材」、「第２振動部分」および「振動部分」の一例である。
【００３０】
カバー部材７ａは、図８に示すように、カバー部材７ａが振動した際に、電池収納部１３ａに収納された電池４ａと接触しないように電池４ａと最も接近した位置で電池４ａと所定の間隔Ｄ（たとえば、約２ｍｍ）を隔てた状態で配置されている。カバー部材７ｂは、カバー部材７ａと同様に、カバー部材７ｂが振動した際に、電池収納部１３ｂに収納された電池４ｂと接触しないように所定の間隔Ｄ（たとえば、約２ｍｍ）を隔てた状態で、電池収納部１３ｂ（凹部１４ｂ）を覆うように配置されている。
【００３１】
また、図５に示すように、カバー部材７ａおよび７ｂは、それぞれ、電池収納部１３ａおよび１３ｂがユーザに把持された状態でユーザの人差し指、中指、薬指および小指（右手１５０ａおよび左手１５０ｂ）と接触されるように構成されている。また、カバー部材７ａは、電池収納部１３ａがユーザの右手１５０ａにより把持された状態で左右方向と略直交する方向（Ｙ方向）に延びる平板形状（図１０参照）を有している。また、カバー部材７ｂは、カバー部材７ａと同様に、電池収納部１３ｂがカバー部材７ｂがユーザの左手１５０ｂにより把持された状態で左右方向と略直交する方向（Ｙ方向）に延びる平板形状を有している。なお、カバー部材７ｂはカバー部材７ａとＹ方向に対して対称な形状を有するので、以降では、カバー部材７ａについて説明し、カバー部材７ｂの説明は省略する。
【００３２】
また、カバー部材７ａは、振動モータ３ａの周波数の略整数倍の固有振動数を有するように形状、厚みおよび大きさが調整されて構成されている。具体的には、図１０に示すように、カバー部材７ａの長手方向（Ｙ方向）の中央近傍７４ａは、長手方向の端部近傍７２ａおよび７３ａよりも小さい板厚Ｄ１を有するように構成されている。詳細には、カバー部材７ａは、長手方向の中央近傍７４ａが板厚Ｄ１（たとえば、約０．５ｍｍ）を有するように構成されている。また、カバー部材７ａは、Ｙ１方向の端部近傍７２ａが板厚Ｄ２（たとえば、約１．１ｍｍ）を有するように構成されている。また、カバー部材７ａは、Ｙ２方向の端部近傍７３ａが板厚Ｄ３（たとえば、約１．１ｍｍ）を有するように構成されている。また、図１１に示すように、カバー部材７ａは、平面視において（Ｚ２方向側から見て）、台形形状を有するように構成されている。具体的には、カバー部材７ａは、Ｙ１方向の端部７２ａにおいて幅Ｌ１（たとえば、約１．５ｃｍ）を有している。カバー部材７ａは、Ｙ２方向の端部７２ｂにおいて幅Ｌ２（たとえば、約２．５ｃｍ）を有している。また、カバー部材７ａは、長手方向（Ｙ方向）の幅Ｌ３（たとえば、約６ｃｍ）を有している。また、カバー部材７ａの後面１２（Ｚ２方向）側の面７１ａは、平坦面状（図１０参照）に形成されている。また、カバー部材７ａは、振動モータ３ａおよび３ｂの周波数（たとえば、１６７Ｈｚ（１００００回転／分））の略２倍の固有振動数（たとえば、３２８．８Ｈｚ）を有するように構成されている。
【００３３】
また、筐体１は、図１２に示すように、ユーザに把持された状態でユーザの右手１５０ａおよび左手１５０ｂと接触されるカバー部材７ａおよび７ｂと、カバー部材７ａおよび７ｂ以外の非振動部分７ｃとを含んでいる。言い換えると、非振動部分７ｃは、筐体１のうちカバー部材７ａおよび７ｂ以外の部分である。また、非振動部分７ｃは、振動モータ３ａおよび３ｂの周波数（たとえば、１６７Ｈｚ（１００００回転／分））の略整数倍の固有振動数を有しないように構成されている。すなわち、非振動部分７ｃは、振動モータ３ａおよび３ｂが所定の周波数で振動した際に、共振しないように構成されている。また、非振動部分７ｃは、所定の厚み（たとえば、１．５ｍｍ）を有している。
【００３４】
第１実施形態では、上記のように、振動モータ３ａ（３ｂ）の周波数の略整数倍の固有振動数を有するように形状、厚みおよび大きさが調整されたカバー部材７ａ（７ｂ）を設ける。これにより、振動モータ３ａ（３ｂ）が振動した際に、振動モータ３ａおよび３ｂの振動により、カバー部材７ａ（７ｂ）を共振させることができるので、電池収納部１３ａ（１３ｂ）のカバー部材７ａ（７ｂ）の変位（振幅）量を大きくすることができる。その結果、電池収納部１３ａ（１３ｂ）を十分振動させて振動モータ３ａ（３ｂ）の振動をユーザに有効に伝えることができる。
【００３５】
また、第１実施形態では、上記のように、ユーザに把持された状態でユーザの人差し指、中指、薬指、小指（右手１５０ａおよび左手１５０ｂ）と接触されるカバー部材７ａ（７ｂ）と、カバー部材７ａ（７ｂ）以外の非振動部分７ｃとを設け、振動モータ３ａ（３ｂ）の周波数の略整数倍の固有振動数を有するようにカバー部材７ａ（７ｂ）を構成し、振動モータ３ａ（３ｂ）の周波数の略整数倍の固有振動数を有しないように非振動部分７ｃを構成する。これにより、振動モータ３ａ（３ｂ）により発生された振動（振動エネルギ）が非振動部分７ｃで消費されてしまうのを抑制することができるので、振動モータ３ａ（３ｂ）の振動（振動エネルギ）によりカバー部材７ａ（７ｂ）を集中的に大きく振動させて、振動モータ３ａ（３ｂ）の振動をユーザに効率よく伝えることができる。また、非振動部分７ｃが振動しにくいので、振動時にも、非振動部分７ｃに設けられたタッチパッド２の操作を支障なく行うことができる。
【００３６】
また、第１実施形態では、上記のように、タッチパッド２を前面に含み、カバー部材７ａ（７ｂ）を後面に含むように筐体１を構成する。これにより、筐体１の後面のカバー部材７ａ（７ｂ）を把持した状態で、筐体１の前面のタッチパッド２を操作することができるので、振動時にもタッチパッド２の操作を支障なく行いながら振動モータ３ａ（３ｂ）の振動をユーザに有効に伝えることができる。
【００３７】
また、第１実施形態では、上記のように、内部に電池４ａ（４ｂ）を収納可能な電池収納部１３ａ（１３ｂ）を筐体１と一体的に形成し、電池収納部１３ａ（１３ｂ）を覆うカバー部材７ａ（７ｂ）を設ける。これにより、電池収納部１３ａ（１３ｂ）を覆うカバー部材７ａ（７ｂ）を振動部分としても流用することができるので、専用の振動部分を別途設ける必要がなく、振動部分を設けた場合にも、部品点数が増加するのを抑制することができる。
【００３８】
また、第１実施形態では、上記のように、振動した際に電池収納部１３ａ（１３ｂ）に収納された電池４ａ（４ｂ）と接触しないように所定の間隔を隔てた状態で、カバー部材７ａ（７ｂ）を配置する。これにより、カバー部材７ａ（７ｂ）が電池４ａ（４ｂ）と接触することに起因して、カバー部材７ａ（７ｂ）の振動（共振）が妨げられてしまうのを抑制することができる。
【００３９】
また、第１実施形態では、上記のように、カバー部材７ａ（７ｂ）のそれぞれの近傍に振動モータ３ａ（３ｂ）を配置する。これにより、振動モータ３ａ（３ｂ）により発生された振動（振動エネルギ）が、非振動部分７ｃで消費されてしまうのを容易に抑制することができるので、容易に、カバー部材７ａ（７ｂ）の振動（共振）が妨げられてしまうのを抑制することができる。
【００４０】
また、第１実施形態では、上記のように、長手方向の中央近傍７４ａ（７４ｂ）が長手方向の端部近傍７２ａおよび７３ａ（７２ｂおよび７３ｂ）よりも小さい板厚を有するように平板形状のカバー部材７ａ（７ｂ）を構成する。これにより、カバー部材７ａ（７ｂ）の長手方向の中央近傍７４ａ（７４ｂ）を変形しやすくすることができるので、振動モータ３ａ（３ｂ）の振動をユーザにより効率よく伝えることができる。
【００４１】
また、第１実施形態では、上記のように、カバー部材７ａにより覆われるように電池収納部１３ａを構成し、カバー部材７ｂにより覆われるように電池収納部１３ｂを構成し、カバー部材７ａに覆われる電池収納部１３ａとカバー部材７ｂとに覆われる電池収納部１３ｂとを、それぞれ、筐体１の左側と右側とに設ける。これにより、左側と右側の両側からカバー部材７ａおよび７ｂを把持することができるので、ユーザが利き手（一方の手）でタッチパッド２を操作しながら利き手とは反対の手（他方の手）でカバー部材７ａまたは７ｂを把持する状態でも、振動モータ３ａおよび３ｂの振動をユーザに有効に伝えることができる。
【００４２】
また、第１実施形態では、上記のように、振動モータ３ａおよび３ｂの周波数の略整数倍の固有振動数を有するカバー部材７ａおよび７ｂを設ける。これにより、振動モータ３ａおよび３ｂの両方で、カバー部材７ａおよび７ｂを共に振動させることがきるので、振動を確実にユーザに伝えることができる。
【００４３】
次に、上記第１実施形態によるタッチパッドリモコン１００を用いることによる効果を確認するために行ったシミュレーション結果について説明する。
【００４４】
図１２には、本発明の第１実施形態によるタッチパッドリモコン１００のカバー部材７ａおよび７ｂの固有振動数の解析結果が示されている。また、図１３には、カバー部材７ａおよび７ｂが外された筐体１（非振動部分７ｃ）の固有振動数の解析結果が示されている。また、このシミュレーションでは、本発明の第１実施形態によるタッチパッドリモコン１００に対応するようにシミュレーション条件を設定した。詳細には、カバー部材７ａおよび非振動部分７ｃの材料は、ＡＢＳ樹脂であるように設定した。カバー部材７ａの長手方向（Ｙ方向）の中央近傍７４ａの板厚Ｄ１を０．５ｍｍに設定した。カバー部材７ａの長手方向の端部近傍７２ａの板厚Ｄ２を１．１ｍｍに設定した。カバー部材７ａの長手方向の端部近傍７３ａの板厚Ｄ３を１．１ｍｍに設定した。カバー部材７ａの端部近傍７２ａのＸ方向の幅Ｌ１を１．５ｃｍに設定した。カバー部材７ａの端部近傍７３ａのＸ方向の幅Ｌ２を２．５ｃｍに設定した。カバー部材７ａの長手方向の幅Ｌ３を６ｃｍに設定した。振動モータ３ａおよび３ｂの周波数を１６７Ｈｚ（１００００回転／分））に設定した。この場合、カバー部材７ａの一次モードの固有振動数は、振動モータ３ａ（３ｂ）の周波数の略整数倍（２倍）の３２８．８Ｈｚであることを確認した。
【００４５】
上記の構成において、図１２に示すように、カバー部材７ａの長手方向（Ｙ方向）の中央近傍７４ａが、大きく振動（共振）することを確認した。具体的には、カバー部材７ａの長手方向の中央近傍７４ａから端部近傍７２ａおよび７３ａに近づくにつれ、振動（共振）が徐々に小さくなることを確認した。なお、カバー部材７ｂについても、カバー部材７ａのシミュレーション結果と同様の結果が得られる。このように、形状、厚み、大きさを調整することにより、カバー部材７ａおよび７ｂは、振動モータ３ａ（３ｂ）の周波数の略整数倍の固有振動数を有するようになる。
【００４６】
同様に、筺体１の非振動部分７ｃの固有振動数は、振動モータ３ａ（３ｂ）の周波数の略非整数倍（７．４倍）の１２４２Ｈｚであることを確認した。また、図１３に示すように、非振動部分７ｃの後面１２の電池収納部１３ａおよび１３ｂの間の領域１３ｃ以外では、振動（共振）が非常に小さいことを確認した。具体的には、非振動部分７ｃの領域１３ｃの中心に近づくにつれ、振動（共振）がやや増加することを確認した。なお、非振動部分７ｃのうち領域１３ｃの中心近傍でみられる振動（共振）は、カバー部材７ａおよび７ｂの振動（共振）に比べて、十分に小さいことが確認された。
【００４７】
（第２実施形態）
以下、図１、図３および図１４を参照して、本発明の第２実施形態によるタッチパッドリモコン７００の構成について説明する。なお、タッチパッドリモコン７００は、本発明の「携帯端末」の一例である。
【００４８】
この第２実施形態では、同一の振動数で振動するカバー部材７ａおよび７ｂを含む第１実施形態と異なり、異なる振動数で振動するカバー部材７０７ａおよび７０７ｂを含むタッチパッドリモコン７００について説明する。なお、カバー部材７０７ａは、本発明の「第１カバー部材」、「第１振動部分」および「振動部分」の一例である。また、カバー部材７０７ｂは、本発明の「第２カバー部材」、「第２振動部分」および「振動部分」の一例である。
【００４９】
図３に示すように、第２実施形態によるタッチパッドリモコン７００は、筐体１と、タッチパッド２と、振動モータ７０３ａおよび７０３ｂと、電池４ａおよび４ｂとを備えている。また、タッチパッドリモコン７００は、通信部５と、ＣＰＵ６と、カバー部材７０７ａおよび７０７ｂ（図１４参照）とを備えている。
【００５０】
また、第２実施形態では、振動モータ７０３ａは、図３に示すように、筐体１の右側（Ｘ１方向側）に１つ設けられている。振動モータ７０３ｂは、筐体１の左側（Ｘ２方向側）に１つ設けられている。また、振動モータ７０３ａおよび７０３ｂは、平面視において、筐体１のＹ方向の略中央に配置されている。また、振動モータ７０３ａおよび７０３ｂは、ユーザによるタッチパッド２の操作またはＳＴＢ４００（図１参照）からの信号に応じて、所定の周波数で振動するように構成されている。
【００５１】
ここで、第２実施形態では、振動モータ７０３ａおよび７０３ｂは、互いに、異なる振動数で振動するように構成されている。具体的には、振動モータ７０３ａは、ユーザによるタッチパッド２の操作またはＳＴＢ４００からの信号に応じて、たとえば、１６７Ｈｚ（１００００回転／分）で振動するように構成されている。振動モータ７０３ｂは、ユーザによるタッチパッド２の操作またはＳＴＢ４００からの信号に応じて、たとえば、２００Ｈｚ（１２０００回転／分）で振動するように構成されている。また、振動モータ７０３ｂは、振動モータ７０３ａの略非整数倍（１．２倍）の周波数で振動するように構成されている。なお、１６７Ｈｚ（１００００回転／分）は、本発明の「第１の周波数」の一例である。また、２００Ｈｚ（１２０００回転／分）は、本発明の「第２の周波数」の一例である。また、振動モータ７０３ａは、本発明の「第１振動源」および「振動源」の一例である。また、振動モータ７０３ｂは、本発明の「第２振動源」および「振動源」の一例である。
【００５２】
また、第２実施形態では、カバー部材７０７ａは、振動モータ７０３ａの周波数（たとえば、１６７Ｈｚ（１００００回転／分））の略２倍の固有振動数（たとえば、３２８．８Ｈｚ）を有するように構成されている。また、カバー部材７０７ｂは、振動モータ７０３ｂの周波数（たとえば、２００Ｈｚ（１２０００回転／分））の略２倍の固有振動数（たとえば、３９４Ｈｚ）を有するように構成されている。また、カバー部材７０７ｂは、振動モータ７０３ｂの周波数の略整数倍の固有振動数とは異なる固有振動数を有するように形状、厚みおよび大きさが調整されて構成されている。なお、カバー部材７０７ａの固有振動数の解析結果から、第１実施形態に示したカバー部材７ａの固有振動数の解析（シミュレーション）結果と同様に、カバー部材７０７ａの長手方向（Ｙ方向）の中央近傍７７４ａの振動（共振）が大きいことを確認した。また、カバー部材７０７ａの長手方向の中央近傍７７４ａから端部近傍７７２ａおよび７７３ａに近づくにつれ、振動（共振）が徐々に小さくなることが分かった。また、カバー部材７０７ｂの固有振動数の解析は、第１実施形態に示したカバー部材７ａの固有振動数の解析と同様の手順で行われ、カバー部材７０７ｂの長手方向（Ｙ方向）の中央近傍７７４ｂの振動（共振）が大きいことを確認した。また、カバー部材７０７ｂの長手方向の中央近傍７７４ｂから端部近傍７７２ｂおよび７７３ｂに近づくにつれ、振動（共振）が徐々に小さくなることを確認した。
【００５３】
なお、第２実施形態のその他の構成は、上記第１実施形態と同様である。
【００５４】
第２実施形態では、上記のように、振動モータ７０３ａおよび７０３ｂのそれぞれの周波数の略整数倍の固有振動数を有するように形状、厚みおよび大きさが調整されたカバー部材７０７ａおよび７０７ｂを設ける。これにより、振動モータ７０３ａが振動した際にカバー部材７０７ａを共振させ、振動モータ７０３ｂが振動した際にカバー部材７０７ｂを共振させることができるので、電池収納部１３ａのカバー部材７０７ａおよび電池収納部１３ｂのカバー部材７０７ｂの変位（振幅）量を大きくすることができる。その結果、振動モータ７０３ａおよび７０３ｂが振動した際に、振動モータ７０３ａおよび７０３ｂの振動をユーザに有効に伝えることができる。
【００５５】
また、第２実施形態では、上記のように、第１の周波数で振動する振動モータ７０３ａと、振動モータ７０３ａの第１の周波数の略整数倍とは異なる第２の周波数で振動する振動モータ７０３ｂを設けるとともに、振動モータ７０３ａの第１の周波数の略整数倍の固有振動数を有するカバー部材７０７ａと、振動モータ７０３ｂの第２の周波数の略整数倍の固有振動数を有するカバー部材７０７ｂとを設ける。このように構成すれば、カバー部材７０７ａおよび７０７ｂをそれぞれ別個に振動（共振）させることができるので、２つの異なる振動をユーザに伝えることができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１および第２実施形態では、本発明を携帯端末としてのタッチパッドリモコンに適用する例を示したが、本発明はこれに限らない。本発明は、図１５および図１６に示す第１変形例のように、携帯端末としてのスマートフォン８００にも適用可能である。このスマートフォン８００は、振動モータ８０１と、電池８０２と、カバー部材８０３とを備えている。また、本発明は、携帯端末としてのタブレットやゲーム機器のコントローラなどにも適用可能である。なお、スマートフォン８００は、本発明の「携帯端末」の一例である。また、カバー部材８０３は、本発明の「振動部分」の一例である。
【００５８】
上記第１および第２実施形態では、タッチパッドリモコン（携帯端末）がタッチパッド（操作受付部）を備える例を示したが、本発明はこれに限らない。本発明では、携帯端末が、操作受付部として、タッチパッド以外の、たとえば、画像表示機能を有するタッチパネルを備えてもよい。
【００５９】
上記第１および第２実施形態では、ユーザの右手および左手（指）のうちの人差し指、中指、薬指および小指に接触する位置にカバー部材（振動部分）を設けた例を示したが、本発明はこれに限らない。本発明では、ユーザの人差し指、中指、薬指および小指に加え、親指に接触する位置に振動部分を設けてもよい。また、ユーザの指のうち、少なくとも１つの指に接触する位置に振動部分を設けてもよい。また、ユーザの掌に接触する位置に振動部分を設けてもよい。
【００６０】
上記第１および第２実施形態では、振動モータ（振動源）の周波数の略２倍の固有振動数を有するようにカバー部材（振動部分）を構成した例を示したが本発明はこれに限らない。本発明では、振動源の周波数と略同一（１倍）、または、振動源の周波数の略３倍以上の整数倍の固有振動数を有するように振動部分を構成してもよい。
【００６１】
上記第１および第２実施形態では、カバー部材（振動部分）を筐体と別個に形成する例を示したが、本発明はこれに限られない。本発明では、図１７に示す第２変形例のように、振動部分９０１ａおよび９０１ｂを一体的に含む筐体９０２を形成してもよい。
【００６２】
上記第１および第２実施形態では、カバー部材（振動部分）を樹脂で形成する例を示したが、本発明はこれに限られない。本発明では、カバー部材を、金属（たとえば、アルミニウムやステンレスなど）で形成してもよい。これにより、カバー部材を樹脂で形成する場合と異なり、振動の減衰率を低くする（振動を響き易く）することができるので、振動源の振動をユーザにより効率的に伝えることができる。
【００６３】
上記第１および第２実施形態では、２つの振動モータ３ａおよび３ｂ（振動源）を設けた例を示したが、本発明はこれに限られない。本発明では、３つ以上の振動源を設けてもよい。また、第１実施形態では、１つの振動源を設けてもよい。また、第１実施形態では、複数の把持部に対して共通の振動源を設けてもよい。
【００６４】
上記第１および第２実施形態では、１つの電池収納部（把持部）に対し、１つの振動モータ（振動源）を設けた例を示したが、本発明はこれに限られない。本発明では、１つの把持部に対し、複数個の振動源を設けてもよい。
【００６５】
上記第１および第２実施形態では、本発明の振動源としての振動モータを設ける例を示したが、本発明はこれに限られない。本発明では、振動モータ以外の、たとえば、超音波振動子などの振動源を設けてもよい。
【００６６】
上記第１および第２実施形態では、形状、厚みおよび大きさを調整することにより、振動モータ（振動源）の周波数の略整数倍の固有振動数を有する本発明のカバー部材（振動部材）を構成する例を示したが、本発明はこれに限られない。本発明では、形状、厚みおよび大きさのうち少なくとも１つを調整することにより、振動源の周波数の略整数倍の固有振動数を有する振動部材を構成してもよい。
【００６７】
上記第１実施形態では、カバー部材（振動部分）を筐体の左側および右側の両側に設ける例を示したが、本発明はこれに限られない。本発明では、振動部分を筐体の左側および右側のうち、いずれか一方側にのみ設けてもよいし、筺体の後面の中央部に設けてもよい。
【符号の説明】
【００６８】
１、９０２  筐体
２  タッチパッド（操作受付部）
３ａ、７０３ａ  振動モータ（第１振動源、振動源）
３ｂ、７０３ｂ  振動モータ（第２振動源、振動源）
４ａ、４ｂ、８０２  電池
７ａ、７０７ａ  カバー部材（第１カバー部材、第１振動部分、振動部分）
７ｂ、７０７ｂ  カバー部材（第２カバー部材、第２振動部分、振動部分）
７ｃ  非振動部分
１１  前面
１２  後面
１３ａ  電池収納部（第１電池収納部、把持部）
１３ｂ  電池収納部（第２電池収納部、把持部）
７４ａ、７７４ａ  中央近傍
１００、７００  タッチパッドリモコン（携帯端末）
１５０ａ  右手（手）
１５０ｂ  左手（手）
４００  ＳＴＢ（外部機器）
８００  スマートフォン（携帯端末）
８０１  振動モータ
８０２  電池
８０３  カバー部材（振動部分）
９０１ａ、９０１ｂ  振動部分
【図１】
2014203169.tif 000003
【図２】
2014203169.tif 000004
【図３】
2014203169.tif 000005
【図４】
2014203169.tif 000006
【図５】
2014203169.tif 000007
【図６】
2014203169.tif 000008
【図７】
2014203169.tif 000009
【図８】
2014203169.tif 000010
【図９】
2014203169.tif 000011
【図１０】
2014203169.tif 000012
【図１１】
2014203169.tif 000013
【図１２】
2014203169.tif 000014
【図１３】
2014203169.tif 000015
【図１４】
2014203169.tif 000016
【図１５】
2014203169.tif 000017
【図１６】
2014203169.tif 000018
【図１７】
2014203169.tif 000019